(57)【要約】【課題】被制御機器側の操作で録画コンテンツを並び替えた場合でも、制御機器からの再生指令で録画コンテンツのシームレスな連続再生を実現する。【解決手段】制御機器であるＤＴＶ１と被制御機器であるディスクレコーダ２とがデジタルインタフェース３で接続されており、ディスクレコーダ２側の操作で録画コンテンツを並び替えたときに、録画コンテンツをＤＴＶ１に掲示する順序も並び替えることにより、ＤＴＶ１側から再生指示を行った場合でも、録画コンテンツのシームレス再生を実現する。【選択図】図１
2006013574.tif 000002
【特許請求の範囲】
【請求項１】
ネットワークを通じて1つまたは複数の制御機器から制御される被制御機器であって、
前記制御機器からの制御対象となる録画再生サブユニットと、
前記録画再生サブユニットにおける録画コンテンツのリストを管理し、前記制御機器からの要求に応じて前記録画コンテンツのリストを前記制御機器に送出する送出手段と、
録画コンテンツの並び替えを行う録画コンテンツ並び替え手段とを備え、
前記送出手段は、前記録画コンテンツ並び替え手段で録画コンテンツが並び替えられたとき、前記並び替え手段で並び替えられた順序で前記録画コンテンツのリストを更新することを特徴とする被制御機器。
【請求項２】
前記ネットワークは、ＩＥＥＥ１３９４高速シリアルバスを用いて構成されることを特徴とする請求項１に記載の被制御機器。
【請求項３】
ネットワークを通じて１つまたは複数の制御機器から制御される被制御機器の制御方法であって、
コンテンツの録画を行う第１のステップと、
前記第１のステップで録画された録画コンテンツのリストを生成する第２のステップと、
録画コンテンツの並び替えを行う第３のステップと
前記第３のステップで録画コンテンツの並び替えが行われた後、前記第２のステップで生成された録画コンテンツのリストを更新する第４のステップと、
前記制御機器からの要求に応じて、前記第４のステップで更新された録画コンテンツのリストを送出する第５のステップとを有することを特徴とする被制御機器の制御方法。
【発明の詳細な説明】
【技術分野】
【０００１】
本発明は、例えばＩＥＥＥ１３９４高速シリアルバス（以下、１３９４シリアルバス）を用いて制御される被制御機器に関し、録画日時順に並んでいる録画コンテンツリストを、本体での並び替え操作に応じた並び順で制御機器へ掲示し、制御機器からの再生指令でのシームレスな連続再生を実現する技術に関するものである。
【背景技術】
【０００２】
デジタルテレビ（以下、ＤＴＶ）、ディスクレコーダ（以下、ＤＲ）を１３９４シリアルバスで接続し、ＤＴＶよりＤＲを制御することが行なわれている。ここで、制御機器であるＤＴＶはコントローラであり、被制御機器であるターゲットのＤＲを制御するためのアプリケーションが必要になる。このアプリケーションはＤＲに対して、記録、再生などのコマンドを送信することにより、ＤＲを制御する。ここではコマンドとして、１３９４トレードアソシエーションで決められたＡＶ／ＣコマンドセットのＤＩＳＣサブユニットの制御コマンド（以下、ＤＩＳＣコマンド）が用いられる。ＤＩＳＣサブユニットでは、Ｒｏｏｔ Ｃｏｎｔｅｎｔｓ Ｌｉｓｔ（以下、ＲＣＬ）を用いて、録画コンテンツをコントローラに掲示する。録画コンテンツのリストは、例えば記録順に表示されたり、ユーザの所望の並び順に並び替えられて表示される（例えば特許文献１参照）。
【０００３】
次に図３を用いて、ＤＲ用アプリケーションを実装した上記のＤＴＶ１と上記ＤＲ２が１３９４シリアルバス３に接続された場合について説明する。
【０００４】
ＤＲ２は、制御対象２１が、そのサブユニットタイプがＤＩＳＣのサブユニット２２として構成され、ＤＲ用アプリケーションを実装したＤＴＶ１により制御される。そして、ＤＴＶ１は、ＲＣＬ２３を読み出し、ＤＲ２の録画コンテンツの情報を取得し、再生する録画コンテンツの指定を行う。
【０００５】
ここで、ＤＲ２においてユーザが録画コンテンツの並び替えを行った場合を想定する。この場合、ユーザは例えばＧＵＩを介して録画されたコンテンツの表示順序を操作する。するとＤＲ２内の録画コンテンツ並び替え手段２４によって、本体側で録画コンテンツの並び替えが行われる。ユーザは並び替えられた順序でコンテンツの視聴を行うことになる。
【特許文献１】特開２００２−３５２５５５号公報
【発明の開示】
【発明が解決しようとする課題】
【０００６】
しかしながら従来の被制御機器では、録画コンテンツ並び替え手段２４でコンテンツの並び替えが行われた場合でも、ＲＣＬ２３で録画コンテンツが録画日時順に並んだままである。ＲＣＬ２３での録画コンテンツの並び順は、連続再生する場合の再生順序を表している。ＤＲ２の本体側で、録画コンテンツ並び替え手段２４によって録画コンテンツの並び替えを行うと、録画コンテンツの並び順、すなわち、連続再生順が変化する。すなわちＲＣＬ２３では依然として録画日時順に録画コンテンツが並んでいるのに対して、再生順は録画コンテンツ並び替え手段２４により並び替えられており、両者の並び順が一致しない状態となる。ここで、ＤＴＶ１からＤＩＳＣコマンドにより並び替え後の順序で録画コンテンツを連続再生するためには、録画コンテンツを１つ１つ並び替えた順序で再生指令しなければならない。そうすると、再生する録画コンテンツを切り替えるのに時間ラグが生じ、シームレス再生を実現できないといった課題が生じる。
【０００７】
本発明は、本体側での録画コンテンツの並び替え後も、ＤＩＳＣコマンドによる再生指令によって、並び替えた順序でシームレスな連続再生を実現することを目的とする。
【課題を解決するための手段】
【０００８】
本発明は、ネットワークを通じて1つまたは複数の制御機器から制御される被制御機器であって、制御機器からの制御対象となる録画再生サブユニットと、録画再生サブユニットにおける録画コンテンツのリストを管理し、制御機器からの要求に応じて前記録画コンテンツのリストを前記制御機器に送出する送出手段と、録画コンテンツの並び替えを行う録画コンテンツ並び替え手段とを備え、送出手段は、録画コンテンツ並び替え手段で録画コンテンツが並び替えられたとき、並び替え手段で並び替えられた順序で録画コンテンツのリストを更新することを特徴とする。
【０００９】
本発明により、被制御機器本体側で録画コンテンツの並び替えた場合でも、制御機器による再生指令で、並び替えた順序でシームレスな連続再生を実現することができる。
【発明の効果】
【００１０】
本発明は、被制御機器側の操作で録画コンテンツの並び替えた場合でも、制御機器からの再生指令で録画コンテンツのシームレス再生を実現することができる。
【発明を実施するための最良の形態】
【００１１】
（実施の形態）
以下、本発明の実施の形態について、図面を参照して説明する。
【００１２】
図１は、本発明を適用した制御システムの構成を示すものである。図1において、１は制御機器であるＤＴＶ１であり、１１はＤＲ用制御アプリケーションである。ＤＲ２は被制御機器である。ＤＲ２は、制御対象２１の構成をサブユニットタイプがＤＩＳＣのサブユニット２２とし、ＤＲ用アプリケーションを実装したＤＴＶ１に制御される。２３はＤＩＳＣサブユニット２２の録画コンテンツを掲示するＲＣＬである。ＤＲ２は、本体側操作で録画コンテンツを並び替える録画コンテンツ並び替え手段２４を備えている。さらに、ＤＲ２はＲＣＬ２３内の録画コンテンツの順序を並び替えるＲＣＬ録画コンテンツ並び替え手段２５を備えている。
【００１３】
ＤＴＶ１、ＤＲ２は１３９４シリアルバス３で接続されている。
【００１４】
次に、ＤＴＶ１からＤＲ２の録画コンテンツを再生する動作について説明する。ＤＴＶ１はＤＲ２のＲＣＬ２３をＤＩＳＣコマンドによって読み出す。ＤＴＶ１は、ＲＣＬ２３の録画コンテンツをその順序で再生する場合は、ＤＩＳＣコマンドによって連続再生を指令する。特定の録画コンテンツのみを再生する場合は、ＤＩＳＣコマンドによって録画コンテンツを指定して再生する。
【００１５】
図２（１）にＲＣＬの内容を示す。ＲＣＬは、１つのＲＣＬヘッダと、０個以上のオブジェクトにより構成される。図２（１）ではオブジェクトは３個あり、オブジェクトは１，２，３の順序で並んでいる。すなわち録画コンテンツのリストを表している。
【００１６】
図２（２）は、ＲＣＬヘッダの内容を示す。ヘッダ情報は、総録画時間や残量などの情報である。オブジェクト数＝３は、録画コンテンツが３個あることを表す。
【００１７】
図２（３）は、オブジェクトの内容を示す。“０ｘ０１２３”はＤＲ２が録画コンテンツに割り当てたオブジェクトＩＤである。オブジェクト情報は、録画コンテンツの録画日時や録画サイズ、録画モード、タイトルなどの情報である。
【００１８】
ＤＲ２本体側で録画コンテンツ並び替え手段２４操作により録画コンテンツを３，１，２の順序に並び替えたとき、ＲＣＬ２３内のオブジェクトもＲＣＬ録画コンテンツ並び替え手段２５によって、図２（４）のように３，１，２の順序に並び替える。そしてＤＲ２の送出手段（図示せず）から並び替えられたコンテンツのリストを送出する。
【００１９】
これによって、ＤＴＶ１は、ＤＩＳＣコマンドで連続再生を指令することによって、ＤＲ２の録画コンテンツを並び替え後の順序でシームレスに連続再生することができる。
【産業上の利用可能性】
【００２０】
本発明は、被制御機器側の操作で録画コンテンツの並び替えた場合でも、制御機器からの再生指令で録画コンテンツのシームレス再生を実現することができるので、例えば１３９４シリアルバス等のＩ／Ｆを用いて制御される被制御機器等において有用である。
【図面の簡単な説明】
【００２１】
【図１】本発明の実施形態による被制御機器を用いた制御システムの構成図
【図２】本発明の実施形態によるＲＣＬの内容の一例を示す図
【図３】従来の被制御機器の構成を示すブロック図
【符号の説明】
【００２２】
１    ＤＴＶ
２    ＤＲ
３    １３９４シリアルバス
１１    ＤＲ用アプリケーション
２１    制御対象
２２    ＤＩＳＣサブユニット
２３    ＲＣＬ
２４    録画コンテンツ並び替え手段
２５    ＲＣＬ録画コンテンツ並び替え手段
【図１】
2006013574.tif 000003
【図２】
2006013574.tif 000004
【図３】
2006013574.tif 000005